(57)【要約】      （修正有）【課題】電気接点にマイクロスイッチを用いることで、接点性能維持のための定期的な清掃が不要となり、長期間安定した電気信号を送出できる。また下方向ストッパーを別に設けることで電気接点に無理な力が加わらず、接点間の振動も小さくなり質の高い信号を送出できる。【解決手段】電気接点の問題解決のため、電気接点と下方向ストッパーの機能をそれぞれに分け、専用の機能部品を配置する。電気接点は容易に交換できるように、ソケットで支持したマイクロスイッチを用い、下方向ストッパーは調整可能な形で別に設ける。つまみ押し圧の問題解決のため、押し圧を得る要素として磁石を用いる。またレバー支持における問題解決のため、支持方法を適切な硬さの可撓性支持体を用いた、片持ち梁構造とする。【選択図】図１
0003133955.tif 000002
【実用新案登録請求の範囲】
【請求項１】
電鍵の電気接点にソケットで支持され、交換可能なマイクロスイッチを用いた縦振り電鍵。
【請求項２】
電鍵のつまみ押し圧を生じさせる要素に、磁石の反発力を用いた縦振り電鍵。
【請求項３】
電鍵のレバーの支持方法を片持ち梁構造とし、レバー後端を基台に設けたレバー支持体に、可撓性支持体を介して接合した縦振り電鍵。
【考案の詳細な説明】
【技術分野】
【０００１】  本考案は、モールス符号による電気通信を行うための縦振り電鍵に関するもので、電気接点としてソケットで支持され、交換可能なマイクロスイッチを用いた縦振り電鍵である。
【背景技術】
【０００２】  従来の縦振り電鍵の構造を（図５）鳥瞰図、（図６）側面図、（図７）上面図で示す。縦振り電鍵によるモールス符号の長点、短点信号は、指で４のつまみを上下に操作し１５、１６で構成された接点を開閉することで発生させる。  その機構には、つまみの付いた２のレバーの中間を１４の支持軸で支え、シーソーのように動く構造が使われている。  つまみの押し圧と１５、１６の接点間隔の設定は、良好な打鍵感覚を得るのに重要であり、その値には個人差があるので７、１５のネジによる調整機構を備えている。  接点の開閉で発生させた電気信号は、配線で結ばれた５のターミナルより外部へ取り出される。【０００３】  接点は支持軸より前方にあり、レバーと１の基台に向き合って取り付けられ、その間隔は１５の上接点ネジで調整できるようになっている。  接点はレバーの下方向ストッパーを兼ねており、つまみを押さえた力が直接接点に加わる構造となっている。接点は開放構造で周囲の塵、埃等の影響を受けやすく、接点性能維持のため定期的に清掃を行う仕様である。【０００４】  つまみ押し圧は、レバーと基台との間に設けた支持軸後方１３のコイルバネで得ている。押し圧は７の調整ネジによりコイルバネの引き伸ばし量を変える構造で、コイルバネの性質上、押し圧は引き伸ばし量に対し正比例関係にある。【０００５】  レバーにはレバーの長手方向に直交して軸が取り付けられ、軸は基台に設けた３のレバー支持体に対しピポット、ベアリング等の回転軸受け構造により支持されている。回転軸受けは安定した打鍵を維持するため定期的に給油、整備を行う仕様である。
【考案の開示】
【考案が解決しようとする課題】
【０００６】  従来の電鍵は接点が開放接点であるため周囲の塵、埃等の影響を受け易く、安定した信号を送出するのに定期的な接点の清掃が必要である。  また接点は下方向ストッパーを兼ねており、電鍵操作時の衝撃が接点に直接加わるので、接点素材には変形、磨耗を防ぐため比較的硬い素材が使われる。  しかし、接点が硬いと電鍵操作時に接点間で反動による振動が生じるため、不要な電気信号が発生し信号の質が低下する事がある。【０００７】  つまみ押し圧はコイルバネの性質上、引き伸ばし量に対し（グラフ１）のように正比例関係にある。  そのため接点間隔を一定とし、軽い押し圧と重い押し圧それぞれの設定で、つまみの押し始めと押し終わりの押し圧の比を比べると、軽い押し圧においてその値が大きく、感覚的に違和感を覚える。
（グラフ１）で説明すると重い押し圧の設定で引き伸ばし量がＢの０．３ｍｍでは、押し始めと押し終わりの押し圧の比は３００／２４０で１．２５であるが、軽い押し圧の設定で引き伸ばし量がＡからＡ’の０．３ｍｍでは、押し始めと押し終わりの押し圧の比が１００／４０で２．５となり、重い押し圧の設定のときに比べ２倍も大きい。【０００８】  レバーが回転軸受けで支持されているため、良好なレバーの動きを保つには、軸受けの定期的な給油、清掃などの整備が必要である。
【課題を解決するための手段】
【０００９】  電気接点部の問題解決のため、電気接点と下方向ストッパーの機能をそれぞれに分け、専用の機能部品を配置する。  電気接点にはマイクロスイッチを用い、下方向ストッパーは調整可能な形で別に設ける。【００１０】  つまみ押し圧の問題解決のため、押し圧を生じさせる要素として適切な磁力の磁石を用いる。【００１１】  レバーの支持方法における問題解決のため、レバーの支持方法を適切な硬さの可撓性支持体を用いた片持ち梁構造とする。
【考案の効果】
【００１２】  電気接点にマイクロスイッチを用いることで、接点性能維持のための定期的な清掃が不要となり、長期間安定した電気信号を送出できる。  また下方向ストッパーを別に設けることで電気接点に無理な力が加わらず、接点間の振動も小さくなり質の高い信号を送出できる。【００１３】  押し圧を生じさせる要素に磁石を用い、磁力による力が距離に比例しない性質を利用することで、接点間隔を変えずに押し圧を調整した場合も、押し始めと押し終わりの押し圧の比が平均化され、違和感が減少する。
（グラフ２）で説明すると、重い押し圧の設定で磁石間距離がＤからＤ’の０．３ｍｍでは、押し始めと押し終わりの押し圧の比は３８０／２４０で約１．５８であり、軽い押し圧の設定で磁石間距離がＣからＣ’の０．３ｍｍでは、押し始めと押し終わりの押し圧の比は７０／４０で１．７５となり、重い押し圧の設定との差は０．１７と小さい。【００１４】  可撓性支持体を用いた片持ち梁構造とすることで、機械的な可動部分がなくなり、回転軸受けの場合に必要な定期的な給油、清掃などの整備が不要となる。
【考案を実施するための最良の形態】
【００１５】  マイクロスイッチは、つまみの上下動でＯＮ、ＯＦＦするように基台とレバーの間に設け、容易に交換できるようソケットで支持する。【００１６】  また、打鍵感覚を調整するため上下方向のストッパーを設ける。  下方向ストッパーは、レバーを押し下げてマイクロスイッチがＯＮになった後、レバーがストッパーに当たるまでの高さを調整できるように設ける。  また上向きストッパーは、押し圧をかけない状態で、マイクロスイッチがＯＦＦになった後、レバーがストッパーに当たるまでの高さを調整できるように設ける。【００１７】  押し圧を得る磁石は、基台とレバーそれぞれに同軸上で反発する向きに取り付ける。また磁石の少なくとも一方は、磁力による力を調整できるように取り付ける。【００１８】可撓性支持体は、磁力による押し圧よりも小さい値の押し圧となる強度とし、レバーができるだけねじれない方法で取り付ける。  また可撓性支持体には超弾性合金を用い、容易にマイクロスイッチが交換できるようにする。
【実施例】
【００１９】  以下、図面に従って実施例を説明する。  図１は鳥瞰図、図２は側面図、図３は上面図であり、図４はマイクロスイッチの支持方法を示す。【００２０】  １の基台には３のレバー支持体を取り付け、レバー支持体には６の可撓性支持体２本を介し、片持ち梁構造でレバーを取り付ける。  レバー支持体とレバーとの間には数ミリの隙間を設ける。【００２１】  レバーには４のつまみを取り付ける。  つまみの上下操作で１０のマイクロスイッチがＯＮ、ＯＦＦしその電気信号は配線を通して５のターミナルに出力される。【００２２】  マイクロスイッチは、図４示すように９のマイクロスイッチソケットで支持し、基台に取り付ける。  マイクロスイッチの交換は、８の上向きストッパーをはずしてレバーを大きく持ち上げ、基台とレバーの間に空間を設けて行う。  この際可撓性支持体が大きく曲げられるが、可撓性支持体の素材に超弾性合金を用いているので、持ち上げる力を除けば元の状態に復元する。【００２３】  操作感覚に重要な要素であるつまみの動き幅を調整するため、レバーの上下動を規制する８、１２のストッパー調整ネジを設ける。  また同じく重要な要素である押し圧を調整するため、１１の磁石間の距離を調整する押し圧調整ネジを設ける。
【図面の簡単な説明】
【００２４】
【図１】本考案の電鍵を示す鳥瞰図である。
【図２】本考案の電鍵の側面図である。
【図３】本考案の電鍵の上面図である。
【図４】本考案の電鍵のマイクロスイッチ支持説明図である。
【図５】従来の縦振り電鍵の鳥瞰図である。
【図６】従来の縦振り電鍵の側面図である。
【図７】従来の縦振り電鍵の上面図である。［グラフ１］従来の電鍵のバネ引き伸ばし量に対する押し圧のグラフである。［グラフ２］本考案の電鍵の磁石間距離に対する押し圧のグラフである。
【符号の説明】
【００２５】  １  基台
２  レバー
３  レバー支持体
４  つまみ
５  ターミナル
６  可撓性支持体
７  押し圧調整ネジ
８  上方向ストッパー調整ネジ
９  マイクロスイッチソケット
１０  マイクロスイッチ
１１  磁石
１２  下方向ストッパー調整ネジ
１３  押し圧発生バネ
１４  レバー支持軸
１５  下方向ストッパー調整ネジ兼上接点
１６  下接点
【図１】
0003133955.tif 000003
【図２】
0003133955.tif 000004
【図３】
0003133955.tif 000005
【図４】
0003133955.tif 000006
【図５】
0003133955.tif 000007
【図６】
0003133955.tif 000008
【図７】
0003133955.tif 000009
【手続補正書】
【提出日】平成19年3月12日(2007.3.12)
【手続補正１】
【補正対象書類名】実用新案登録請求の範囲
【補正対象項目名】請求項２
【補正方法】変更
【補正の内容】
【請求項２】
電鍵のつまみ押し圧を生じさせる要素に、磁石の反発力を用いた請求項１に記載の縦振り電鍵。
【手続補正２】
【補正対象書類名】実用新案登録請求の範囲
【補正対象項目名】請求項３
【補正方法】変更
【補正の内容】
【請求項３】
電鍵のレバーの支持方法を片持ち梁構造とし、レバー後端を基台に設けたレバー支持体に、可撓性支持体を介して接合した請求項１または２に記載の縦振り電鍵。